(57)【要約】【課題】施工作業性が良好で一人の作業者でも十分にその施工が可能であり、且つ遮音性能及び断熱性能にも優れ、しかも地震等による躯体の変形に容易に追随し得る間仕切りパネルの取付構造を提供すること。【解決手段】間仕切りパネル１０の上下端部を各々天井ランナー２０及び床ランナー３０に取付固定するノンスタッド式の間仕切りパネルの取付構造であって、上記間仕切りパネル１０を２枚の石膏ボードを間隙αを開けて接合した間仕切りパネルとすると共に、該間仕切りパネル１０の上端に存在する上記石膏ボード間の間隙αを天井ライナ一２０の取付片２２に嵌挿し、該間仕切りパネル１０の上端部１０ｃを天井ランナー２０にスライド可能に取付けた構造とした。【選択図】        図８
2005023679.tif 000002
【特許請求の範囲】
【請求項１】
間仕切りパネルの上下端部を各々天井ランナー及び床ランナーに取付固定するノンスタッド式の間仕切りパネルの取付構造であって、上記間仕切りパネルを少なくとも２枚の石膏ボードを間隙を開けて接合した間仕切りパネルとすると共に、該間仕切りパネルの上端に存在する上記石膏ボード間の間隙を天井ライナ一の取付片に嵌挿し、該間仕切りパネルの上端部を天井ランナーにスライド可能に取付けたことを特徴とする、間仕切りパネルの取付構造。
【請求項２】
上記間仕切りパネルを、２枚の石膏ボードをスペーサーを兼ねた少なくとも２本の補強材によって間隙を開けた状態で接合したパネルとすると共に、該パネルの一方の長辺小口から上記補強材の幅方向一部が突出し、且つ該パネルの他方の長辺小口に他のパネルに存在する前記突出した補強材の幅方向一部が嵌入し得る凹部が形成されるように上記補強材が上記２枚の石膏ボード間に配置された間仕切りパネルとしたことを特徴とする、請求項１に記載の間仕切りパネルの取付構造。
【請求項３】
間仕切りパネルの上下端部を各々天井ランナー及び床ランナーに取付固定するノンスタッド式の間仕切りパネルの取付構造であって、上記間仕切りパネルを少なくとも２枚の石膏ボードを幅方向にずらせて接合した間仕切りパネルとすると共に、該間仕切りパネルの上端部に取付金物を装着し、該取付金物と間仕切りパネルの上端部板面との間隙を天井ライナ一の取付片に嵌挿し、該間仕切りパネルの上端部を天井ランナーにスライド可能に取付けたことを特徴とする、間仕切りパネルの取付構造。
【請求項４】
上記間仕切りパネルを、２枚の石膏ボードを幅方向にずらせて重ね合わせた状態で補強材に接合したパネルとすると共に、該パネルの前記補強材が接合された板面側の上端部に上記取付金物を装着した間仕切りパネルとしたことを特徴とする、請求項３に記載の間仕切りパネルの取付構造。
【発明の詳細な説明】
【０００１】
【発明の属する技術分野】
本発明は、住宅などの隣接する部屋を区画する間仕切りパネルの取付構造に関するものである。
【０００２】
【従来の技術】
石膏ボードを組み合わせることにより構築した間仕切り壁は、コスト面及び耐火性能、遮音性能等の品質面において他材に比べて優位にあることから、高層住宅、ホテル、病院等において広く利用させている。
【０００３】
ここで、石膏ボードを用いた間仕切り壁の構築方法には、下地間柱に石膏ボードを取り付けていくスタッド式と、下地間柱を設けず、石膏ボードを自立させて壁面を構築していくノンスタッド式とがあるが、近年、施工コスト及び遮音性能等を考慮し、ノンスタッド式が多く採用されている。
【０００４】
このノンスタッド式の取付工法は、通常、図１４に示したように、躯体の天井面Ａ、及び床面Ｂの双方に設けられた断面コ字形状の天井ランナー１０１、及び床ランナー１０２の各々の両側の取付片１０１ａ，１０２ａに、補強材１０３により補強された石膏ボード（間仕切りパネル）１０４の上下端部を各々ビス１０５により固定し、その構築された壁面に更に１層以上の石膏ボード１０６を重ね貼りし、内部に遮音及び断熱作用を果たす空気層１０７を形成した間仕切り壁１０８を構築する工法が一般的である。
【０００５】
【発明が解決しようとする課題】
しかしながら、上記したノンスタッド式で間仕切り壁１０８を構築する作業は、補強材１０３により補強された石膏ボード（間仕切りパネル）１０４の上下端部を、天井ランナー１０１、及び床ランナー１０２の各々の取付片１０１ａ、１０２ａに当接するように作業者の一人が該間仕切りパネル１０４を支え、別の作業者が脚立に登って間仕切りパネル１０４の上端部を天井ランナー１０１にビス１０５により固定する等の少なくとも二人作業となり、施工作業性が良いものではなかった。
【０００６】
また、構築した上記間仕切りパネル１０４による壁面に、遮音性及び断熱性の向上を目的として更に１層以上の石膏ボード１０６を重ね貼りする作業は、二度手間、三度手間となり、出来れば無くしたい作業であった。
【０００７】
更に、間仕切りパネル１０４の上下端部は、ビス１０５によって各々天井ランナー１０１及び床ランナー１０２に強固に固定されているため、地震等の振動を受けた際に、躯体の変形を吸収すことができず、ビス１０５による取付け部位等に亀裂、或いは割れが生じ易いものであった。
【０００８】
本発明は、上述した従来の技術が有する課題に鑑み成されたものであって、その目的は、施工作業性が良好で一人の作業者でも十分にその施工が可能であり、且つ遮音性能及び断熱性能にも優れ、しかも地震等による躯体の変形に容易に追随し得る間仕切りパネルの取付構造を提供することにある。
【０００９】
【課題を解決するための手段】
本発明は、上記した目的を達成するため、間仕切りパネルの上下端部を各々天井ランナー及び床ランナーに取付固定するノンスタッド式の間仕切りパネルの取付構造であって、上記間仕切りパネルを少なくとも２枚の石膏ボードを間隙を開けて接合した間仕切りパネルとすると共に、該間仕切りパネルの上端に存在する上記石膏ボード間の間隙を天井ライナ一の取付片に嵌挿し、該間仕切りパネルの上端部を天井ランナーにスライド可能に取付けた構造とした。
【００１０】
また、本発明は、上記と同じく間仕切りパネルの上下端部を各々天井ランナー及び床ランナーに取付固定するノンスタッド式の間仕切りパネルの取付構造であって、上記間仕切りパネルを少なくとも２枚の石膏ボードを幅方向にずらせて接合した間仕切りパネルとすると共に、該間仕切りパネルの上端部に取付金物を装着し、該取付金物と間仕切りパネルの上端部板面との間隙を天井ライナ一の取付片に嵌挿し、該間仕切りパネルの上端部を天井ランナーにスライド可能に取付けた構造とした。
【００１１】
上記した本発明に係る間仕切りパネルの取付構造によれば、いずれも間仕切りパネルの上端部の天井ライナ一への取付けが、該間仕切りパネルの上端に存在する間隙を天井ライナ一の取付片に嵌挿することにより成されるため、従来のビス固定とは異なり、その施工作業性が良好で、一人の作業者でも十分にその施工が可能となる。
【００１２】
また、本発明において使用する間仕切りパネルは、少なくとも２枚の石膏ボードを間隙を開けて接合した間仕切りパネル、或いは少なくとも２枚の石膏ボードを幅方向にずらせて接合した間仕切りパネルとしているため、従来の単に一枚の石膏ボードを補強材に接合した間仕切りパネルに比して、遮音性能及び断熱性能に優れた間仕切り壁を容易に構築することができる。
【００１３】
更に、上記した本発明に係る間仕切りパネルの取付構造によれば、間仕切りパネルの上端部を天井ランナーにスライド可能に取付けた構造としているため、地震等による躯体の変形を、該間仕切りパネルの上端部がスライドすることにより吸収すことができ、間仕切りパネルに亀裂、或いは割れが生じ難い取付け構造となる。
【００１４】
ここで、上記本発明に係る間仕切りパネルの取付構造において使用する間仕切りパネルを、２枚の石膏ボードをスペーサーを兼ねた少なくとも２本の補強材によって間隙を開けた状態で接合したパネルとすると共に、該パネルの一方の長辺小口から上記補強材の幅方向一部が突出し、且つ該パネルの他方の長辺小口に他のパネルに存在する前記突出した補強材の幅方向一部が嵌入し得る凹部が形成されるように上記補強材が上記２枚の石膏ボード間に配置された間仕切りパネルとすること、或いは、２枚の石膏ボードを幅方向にずらせて重ね合わせた状態で補強材に接合した間仕切りパネルとすることは、いずれも隣接設置する間仕切りパネルの目地部に隙間が生じ難いものとなり、遮音性能及び耐火性能の高い壁面をより容易に構築することができるために好ましい。
【００１５】
【発明の実施の形態】
以下、上記した本発明に係る間仕切りパネルの取付構造の実施の形態を、図面等を示して詳細に説明する。
【００１６】
先ず、図１は、本発明に係る間仕切りパネルの取付構造に使用する間仕切りパネルの一実施の形態を示した斜視図である。
【００１７】
この実施の形態に係る間仕切りパネル１０は、２枚の石膏ボード１１，１１をスペーサーを兼ねた２本の補強材１２，１２によって接合し、２枚の石膏ボード１１，１１を間隙αを開けて平行に配置した構造のものである。
【００１８】
上記石膏ボード１１，１１は、壁面に用いられる長方形状の周知のものであり、また補強材１２，１２は、基本的には２枚の石膏ボード１１，１１の間に配置されて２枚の石膏ボードを互いに間隙αを開けて平行な状態で接合でき、且つある程度の剛性を有するものであればその材質は何ら限定されず、例えば木材、鋼材、鉄板加工材、石膏ボード材などで形成された長尺な角材又はコ字形状材が使用できる。
【００１９】
上記石膏ボード１１，１１と補強材１２，１２とは、図１及び図２に示したように、形成されるパネル１０の一方の長辺小口１０ａから補強材１２の幅方向一部１２ａが突出し、且つ他方の長辺小口１０ｂ、及び上端部１０ｃに石膏ボード１１，１１間の間隙αを利用した凹部１３、１４が各々形成されるように配置され、例えば、ビス１５により接合されている。
【００２０】
上記間仕切りパネル１０は、工場等において予め製造しても良く、また現場において壁面の構築前に製造しても良い。
【００２１】
次に、図３は、本発明に係る間仕切りパネルの取付構造に使用する天井ランナーの一実施の形態を示した斜視図である。
【００２２】
この実施の形態に係る天井ランナー２０は、天井面に添設固定される天板２１と、該天板２１の両側から下方に延設され、上記間仕切りパネル１０の上端部１０ｃの凹部１４を嵌挿する取付片２２，２２を有する長尺な部材に構成されている。
【００２３】
上記天井ランナー２０の取付片２２は、図３に示したように、天板２１の両側から下方に連なる側板を上方に向けてコ字形状に折曲することにより形成されており、その折曲部に若干のＲを施すことにより、間仕切りパネル１０の上端部１０ｃの凹部１４をスムーズに嵌挿し得るように構成されている。
【００２４】
また、図４は、本発明に係る間仕切りパネルの取付構造に使用する床ランナーの一実施の形態を示した斜視図であり、該床ランナー３０は、従来の構成のものと同一であり、床面に添設固定される底板３１と、該底板３１の両側から上方に延設され、上記間仕切りパネル１０の下端部１０ｄの板面に当接する取付片３２、３２を有する断面コ字形状の長尺な部材に構成されている。
【００２５】
上記した間仕切りパネル１０を、上記した天井ランナー２０及び床ランナー３０を用いて取付ける本発明に係る間仕切りパネルの取付構造の一実施の形態を、図５〜図８を示して次に説明する。
【００２６】
図５は、本発明に係る間仕切りパネルの取付構造の実施途中の一実施の形態を示した斜視図、図６は、同じく実施途中の一実施の形態を示した概念的な縦断面図である。
【００２７】
現場においては、先ず、図６に示したように、間仕切り壁４０を構築する位置の天井面Ａ及び床面Ｂに、各々上記した天井ランナー２０、床ランナー３０をその天板２１、底板３１の部分においてビス４１，４２により各々固定する。
【００２８】
次いで、上記した間仕切りパネル１０の上端部１０ｃを上方に持ち上げ、該間仕切りパネル１０の上端部１０ｃに存在する凹部１４を天井ランナー２０の取付片２２に嵌挿し、該間仕切りパネル１０の上端部１０ｃを仮止めする。
【００２９】
この状態で、間仕切りパネル１０を天井ランナー２０に沿って左右方向にスライドさせ、位置決めを行った後、該間仕切りパネル１０の下端部１０ｄを床ランナー３０の取付片３２に当接してビス４３により固定する。
【００３０】
次いで、他の間仕切りパネル１０を、上記と同様に、その上端部１０ｃに存在する凹部１４を天井ランナー２０の取付片２２に嵌挿して仮止めした後、左右方向にスライドさせて位置決めを行い、該間仕切りパネル１０の下端部１０ｄを床ランナー３０の取付片３２にビス４３により固定する。
【００３１】
この際、先に設置した間仕切りパネル１０の長辺小口１０ａから突出する補強材１２の幅方向一部１２ａを、図７に示したように、後に隣接設置する間仕切りパネル１０の長辺小口１０ｂに存在する凹部１３に挿入し、間仕切りパネル１０、１０間の目地部Ｘに隙間が生じないように固定する。
【００３２】
上記の作業を繰り返し、天井ランナー２０及び床ランナー３０の一方側の間仕切り壁４０ａを構築し、必要に応じて構築した間仕切り壁４０ａの背後にグラスウール、ロックウール等の耐火充填材（図示せず）を充填する。
【００３３】
続いて、天井ランナー２０、床ランナー３０の他方側の間仕切り壁４０ｂを、図５及び図６に示したように、上記と同様の方法、即ち、間仕切りパネル１０の上端部１０ｃに存在する凹部１４を天井ランナー２０の取付片２２に嵌挿して仮止めし、左右方向にスライドさせて位置決めを行った後、該間仕切りパネル１０の下端部１０ｄを床ランナー３０の取付片３２にビス４３により固定することを繰り返し、間仕切り壁４０ｂを構築する。
【００３４】
上記のようにして間仕切り壁４０の構築作業が終了した後、図８の縦断面図に示したように、上下端の隙間に耐火充填材４４及びシーリング材４５を充填し、必要に応じて構築した両間仕切り壁４０ａ、４０ｂの各々の表面に更に他の石膏ボード４６，４６を重ね貼りし、その表面にクロス等の内装仕上げ材（図示せず）を貼設することにより、間仕切り壁４０が完成する。
【００３５】
続いて、本発明に係る間仕切りパネルの取付構造の他の実施の形態を、図９〜図１３を示して説明する。
【００３６】
図９及び図１０は、本発明に係る間仕切りパネルの取付構造に使用する間仕切りパネルの他の実施の形態を示した斜視図、及びその横断面図である。
【００３７】
この実施の形態に係る間仕切りパネル５０は、２枚の石膏ボード５１，５１を幅方向にずれせて重ね合わせ、この状態で２本の補強材５２，５２にビス５３等によって接合した構造のものである。即ち、間仕切りパネル５０の両長辺小口５０ａ，５０ｂに、各々じゃくり部分５４ａ，５４ｂを形成した構造のもである。
【００３８】
上記間仕切りパネル５０の上端部５０ｃには、図９に示したように、補強材５２，５２が接合された板面側に２個の取付金物５５，５５が、該間仕切りパネル５０の上端部板面との間に間隙βが形成される状態でビス５６によって装着されている。
【００３９】
上記間仕切りパネル５０は、工場等において予め製造しても良く、また現場において壁面の構築前に製造しても良い。
【００４０】
上記した間仕切りパネル５０を取付ける天井ランナー６０は、天板６１と、該天板６１の両側から下方に延設され、上記間仕切りパネル５０の上端部５０ｃに装着された取付金物５５と該間仕切りパネル５０の上端部板面との間隙βを嵌挿する取付片６２，６２を有する、前記した実施の形態において示した天井ランナー２０と全く同一の形状・寸法のものが使用できる。また、床ランナー７０は、前記した実施の形態において示した床ランナー３０と同様に、底板７１と、該底板７１の両側から上方に延設され、上記間仕切りパネル５０の下端部５０ｄの板面を当接する取付片７２，７２を有する断面コ字形状のものが使用できる。
【００４１】
上記した間仕切りパネル５０を、上記した天井ランナー６０及び床ランナー７０を用いて取付ける本発明に係る間仕切りパネルの取付構造の実施の形態を、図１１〜図１３を示して次に説明する。
【００４２】
現場においては、先ず、前記実施の形態と同様に、間仕切り壁８０を構築する位置の天井面Ａ及び床面Ｂに、各々上記した天井ランナー６０、床ランナー７０をビス８１、８２により固定する。
【００４３】
次いで、上記した間仕切りパネル５０の上端部５０ｃを上方に持ち上げ、該間仕切りパネル５０の上端部５０ｃに存在する板面と取付金物５５との間隙βを天井ランナー６０の取付片６２に嵌挿し、該間仕切りパネル５０の上端部５０ｃを仮止めする。
【００４４】
この状態で、間仕切りパネル５０を天井ランナー６０に沿って左右方向にスライドさせ、位置決めを行った後、該間仕切りパネル５０の下端部５０ｄを床ランナー７０の取付片７２に当接してビス８３により固定する。
【００４５】
次いで、他の間仕切りパネル５０を、上記と同様に、その上端部５０ｃに存在する間隙βを天井ランナー６０の取付片６２に嵌挿して仮止めした後、左右方向にスライドさせて位置決めを行い、該間仕切りパネル５０の下端部５０ｄを床ランナー７０の取付片７２にビス８３により固定する。
【００４６】
この際、先に設置した間仕切りパネル５０の長辺小口５０ａに存在するじゃぐり部分５４ａを、図１２に示したように、後に隣接設置する間仕切りパネル５０の長辺小口５０ｂに存在するじゃぐり部分５４ｂと相じゃぐり状態で重ね合わせ、間仕切りパネル５０、５０間の目地部Ｘに隙間が生じないように固定する。
【００４７】
上記の作業を繰り返し、天井ランナー６０及び床ランナー７０の一方側の間仕切り壁８０ａを構築し、続いて、天井ランナー６０、床ランナー７０の他方側の間仕切り壁８０ｂを、図１１に示したように、上記と同様の方法、即ち、間仕切りパネル５０の上端部５０ｃに存在する板面と取付金物５５との間隙βを天井ランナー６０の取付片６２に嵌挿して仮止めした後、左右方向にスライドさせて位置決めを行い、該間仕切りパネル５０の下端部５０ｄを床ランナー７０の取付片７２にビス８３により固定することを繰り返し、間仕切り壁８０ｂを構築する。
【００４８】
上記のようにして間仕切り壁８０の構築作業が終了した後、図１３に示したように、上下端の隙間に耐火充填材８４及びシーリング材８５を充填し、必要に応じて構築した両間仕切り壁８０ａ、８０ｂの各々の表面に更に他の石膏ボードを重ね貼りし、その表面にクロス等の内装仕上げ材を貼設することにより、間仕切り壁８０が完成する。
【００４９】
以上、本発明に係る間仕切りパネルの取付構造の実施の形態を説明したが、本発明は、何ら既述の実施の形態に限定されず、本発明の技術的思想の範囲内において、種々の変形及び変更が可能であることは当然である。
【００５０】
例えば、上記実施の形態においては、天井ランナーの取付片を天板から下方に連なる側板を上方に向けてコ字形状に折曲することにより形成したものにつき説明したが、このような形状の取付片に限定されず、間仕切りパネルの上端部に存在する間隙を嵌挿でき、間仕切りパネルの上端部をスライド可能に支持し得る構造のものであれば、何らその形状は問わない。
【００５１】
また、上記実施の形態においては、間仕切りパネルとして、石膏ボードの長手方向に沿って２本の補強材を配置したパネルについて説明したが、当然２本を超える補強材を配置しても良く、またその中の数本を石膏ボードの幅方向に配置しても良い。また、接合する２枚の石膏ボードを同一厚さとしたが、板厚の異なる石膏ボードを接合しても良く、また密度等の品質の異なる石膏ボードを接合したパネルとしても良い。
【００５２】
更に、間仕切りパネルの上端部に間隙を形成するために装着した取付金物の形状も、何ら上記実施の形態のもに限定されず、例えば、幅の広い取付金物を１個間仕切りパネルの上端部中央部付近に装着したものとしても良い。
【００５３】
【発明の効果】
以上に説明した本発明によれば、間仕切りパネルの上端部の天井ライナ一への取付けが、該間仕切りパネルの上端部に存在する間隙を天井ライナ一の取付片に嵌挿することにより成されるため、従来のビス固定とは異なり、その施工作業性が良好となり、一人の作業者でも十分にその施工が可能となる効果がある。
【００５４】
また、間仕切りパネルは、少なくとも２枚の石膏ボードを間隙を開けて接合した間仕切りパネル、或いは少なくとも２枚の石膏ボードを幅方向にずらせて接合した間仕切りパネルとしているため、従来の単に一枚の石膏ボードを補強材に接合した間仕切りパネルに比して、遮音性能及び断熱性能に優れた間仕切り壁を容易に構築することができる効果がある。
【００５５】
更に、本発明によれば、間仕切りパネルの上端部を天井ランナーにスライド可能に取付けた構造としているため、地震等による躯体の変形を、間仕切りパネルの上端部がスライドすることにより吸収すことができ、間仕切りパネルに亀裂、或いは割れが生じ難い取付け構造となる効果がある。
【図面の簡単な説明】
【図１】本発明に係る間仕切りパネルの取付構造に使用する間仕切りパネルの一実施の形態を示した斜視図である。
【図２】図１に示した間仕切りパネルの拡大横断面図である。
【図３】本発明に係る間仕切りパネルの取付構造に使用する天井ランナーの一実施の形態を示した斜視図である。
【図４】本発明に係る間仕切りパネルの取付構造に使用する床ランナーの一実施の形態を示した斜視図である。
【図５】本発明に係る間仕切りパネルの取付構造の実施途中の一実施の形態を示した斜視図である。
【図６】本発明に係る間仕切りパネルの取付構造の実施途中の一実施の形態を示した概念的な縦断面図である。
【図７】図１に示した間仕切りパネルを隣接設置した目地部の横断面図である。
【図８】本発明に係る間仕切りパネルの取付構造の一実施の形態を示した縦断面図である。
【図９】本発明に係る間仕切りパネルの取付構造に使用する間仕切りパネルの他の実施の形態を示した斜視図である。
【図１０】図９に示した間仕切りパネルの拡大横断面図である。
【図１１】本発明に係る間仕切りパネルの取付構造の実施途中の他の実施の形態を示した概念的な縦断面図である。
【図１２】図９に示した間仕切りパネルを隣接設置した目地部の横断面図である。
【図１３】本発明に係る間仕切りパネルの取付構造の他の実施の形態を示した縦断面図である。
【図１４】従来の間仕切りパネルの取付構造の一例を示した縦断面図である。
【符号の説明】
１０，５０  間仕切りパネル
１１，５１  石膏ボード
１２，５２  補強材
１３，１４    凹部
１５，４１，４２，４３，５３，５６，８１，８２，８３  ビス
２０，６０  天井ランナー
２１，６１  天板
２２，６２  取付片
３０，７０  床ランナー
３１，７１  底板
３２，７２  取付片
４０，８０  間仕切り壁
５５      取付金物
α，β    間隙
Ａ        天井面
Ｂ        床面
Ｘ        目地部
【図１】
2005023679.tif 000003
【図２】
2005023679.tif 000004
【図３】
2005023679.tif 000005
【図４】
2005023679.tif 000006
【図５】
2005023679.tif 000007
【図６】
2005023679.tif 000008
【図７】
2005023679.tif 000009
【図８】
2005023679.tif 000010
【図９】
2005023679.tif 000011
【図１０】
2005023679.tif 000012
【図１１】
2005023679.tif 000013
【図１２】
2005023679.tif 000014
【図１３】
2005023679.tif 000015
【図１４】
2005023679.tif 000016